(57)【要約】【課題】透明材を用いて内容物を可視状態に収納した製品展示式の包装箱において、製品を梱包状態のまま稼働させてよりリアルな訴求効果を得たい。そのため製品稼働に必要な電源供給機能を包装箱に持たせることを課題とする。【解決手段】包装箱１は透明な上カバー７と非透明な下カバー３で構成し、各付属品を下カバー３に収納してベース部材４を被せ、その上に非接触充電を持つ製品本体２を載せて上カバー７で覆う。ベース部材４の裏側には充電器１１を取付け可能で、これにより製品本体２は可視状態のまま充電できる。製品本体２は上カバー７を透過して無線通信機能により操作が可能。さらに製品本体２が撮影機能を持つ場合は上カバー７を透過して撮影可能であり、上カバー７に各種の光学要素７ｃを持たせれば、製品単体だけでは得られないより高度な撮影を実現できる。【選択図】図１
2016047733.tif 000002
【特許請求の範囲】
【請求項１】
製品本体（２）と付属品（１１〜１４）とをセットで収納する包装装置において、
該付属品は、該製品本体へ非接続状態で電源供給可能な非接触充電式の充電器（１１）を含み、
該包装装置は、
少なくとも一部が透明部材にて形成された包装箱（１）と、
表側に該製品本体を収納する収納部（４ａ）を有し、裏側に該充電器を取付ける取付部（４ｂ）を有し、該収納部に収納された該製品本体が該収納ケースを透過して外部から観察可能な状態にて該収納ケースに収納されるベース部材（４）と、
にて構成され、
該ベース部材は、該収納部に収納した該製品本体に対して充電可能な状態で該充電器を該取付部に取付けることを特徴とする包装装置。
【請求項２】
該収納ケースは、透明部材にて形成された上ケース（７）と、非透明部材にて形成された下ケース（３）にて構成され、該ベース部材の該収納部を該上ケースにて覆い、該ベース部材の該取付部を該下ケースにて覆うことを特徴とする請求項１に記載の包装装置。
【請求項３】
該製品本体は無線遠隔操作機能を有し、該包装装置は、該製品本体を該無線遠隔操作機能が有効な状態にて包装することを特徴とする請求項１又は請求項２に記載の包装装置。
【請求項４】
該製品本体は撮影機能を有し、該ベース部材は、該製品本体の撮影画角を遮らない様に下ケース側へ退避した退避部（４ｃ）を有し、該上ケースは、該退避部に応じて下ケース側へ延びた延長部（７ｂ）を有することを特徴とする請求項１乃至請求項３の何れか一項に記載の包装装置。
【請求項５】
該製品本体は撮影機能を有し、該上ケースは、該製品本体の撮影を補助する光学要素（７ｃ）を有することを特徴とする請求項１乃至請求項４の何れか一項に記載の包装装置。
【請求項６】
該光学要素とはアナモフィックレンズであり、該製品本体は該アナモフィックレンズを透過して縦横比率が補正された画像を撮影するとともに、該縦横比率を変更された画像を逆補正して元の比率に戻す機能を有することを特徴とする請求項５に記載の包装装置。
【請求項７】
該製品本体は画像表示機能を有し、該上ケースは、該製品本体の画像表示部を遮らない様に透明部材を配置することを特徴とする請求項１乃至請求項６の何れか一項に記載の包装装置。
【請求項８】
該ベース部材の表側に収納した該製品本体を覆うための透明なインナーカバー（５）を有することを特徴とする請求項１乃至請求項７の何れか一項に記載の包装装置。
【請求項９】
該インナーカバーに開口部（５ｃ）を設けて該製品本体の撮影光路が素通しになる様にしたことを特徴とする請求項８に記載の包装装置。
【請求項１０】
該インナーカバーを覆うクリアプレート（６）を有することを特徴とする請求項８又は請求項９に記載の包装装置。
【請求項１１】
該下ケースに、該充電器へ外部電力を供給するためのケーブルを通す穴部（３ａ）を有することを特徴とする請求項２に記載の包装装置。
【発明の詳細な説明】
【技術分野】
【０００１】
本発明は、電子機器、特に非接触充電器を用いたデジタルカメラやデジタルビデオカメラ等の撮影機器を収納するための包装装置に関する。
【背景技術】
【０００２】
従来より、包装箱外装の一部を透明材にて構成し、内容物を可視状態にて収納した商品展示式の包装箱がある。特許文献１では、カメラ製品の包装体が開示されている。これは箱体の上面や前面に透明部材を配置し、カメラ、写真フイルムカートリッジ、及び電池等を複数の凹部が形成されたトレーに収納してからこの箱体へ収納するものである。これにより、デザイン意匠やロゴマーク、また原産地名やバーコード等の必要情報は非透明部分に記載して包装箱としての体裁を踏まえつつ、透明部分に内容物を直接に展示することで、商品の形態をよりダイレクトに消費者へ伝えることができる。
【先行技術文献】
【特許文献】
【０００３】
【特許文献１】特開平１１−２２７８６０号公報
【発明の概要】
【発明が解決しようとする課題】
【０００４】
この様な包装箱は、アクリルやＰＥＴ材等の透明樹脂材を必要とし、またトレーなど他の梱包材にもそれなりの美観を要するなど、コストアップの要因となりがちな方式であるから、それに見合う高度な付加価値を求められることは当然である。例えばカメラの様に撮影機能や画像表示機能を有する商品の場合、包装箱が透明であることを活かし、包装状態のままカメラを稼働して撮影したり画像を表示すれば、よりリアルな撮影機能や表示機能の訴求効果が期待できる。さらには、この透明包装箱をユーザーが購入後の実用時にも活用できれば、簡易的なシェルターとして製品を保護しつつ屋外や高低温環境においても安心して使用できるなど、単なる展示販売用に留まらず、より利便性の高い包装箱に仕上げることができる。
【０００５】
そこで、本発明の目的は、この様な透明包装箱において、製品の稼働に必要な電源供給機能を持たせ、製品を可働な状態にて梱包することである。さらには、より付加価値の高い撮影も可能となる包装箱を提供することにある。
【課題を解決するための手段】
【０００６】
上記の目的を達成するために、本発明は、以下のことを特徴とする。
１．製品本体（２）と付属品（１１〜１４）とをセットで収納する包装装置において、
該付属品は、該製品本体へ非接続状態で電源供給可能な非接触充電式の充電器（１１）を含み、
該包装装置は、
少なくとも一部が透明部材にて形成された包装箱（１）と、
表側に該製品本体を収納する収納部（４ａ）を有し、裏側に該充電器を取付ける取付部（４ｂ）を有し、該収納部に収納された該製品本体が該収納ケースを透過して外部から観察可能な状態にて該収納ケースに収納されるベース部材（４）と、
にて構成され、
該ベース部材は、該収納部に収納した該製品本体に対して充電可能な状態で該充電器を該取付部に取付けること。
（効果：透明材にて構成し製品を可視状態にて収納した包装箱において、製品の稼働に必要な電源を供給し可働な状態にて梱包することができる。）
２．該収納ケースは、透明部材にて形成された上ケース（７）と、非透明部材にて形成された下ケース（３）にて構成され、
該ベース部材の該収納部を該上ケースにて覆い、該ベース部材の該取付部を該下ケースにて覆うこと。
（効果：包装装置の収納ケースを透明な上ケースと、非透明な下ケースに分けたので、コストのかかる透明部材を上ケースだけに限定でき、かつ表示不要な付属品類を下ケースに収納して隠すことができる。また上下カバーに二分割したので梱包作業しやすい。）
３．該製品本体は無線遠隔操作機能を有し、
該包装装置は、該製品本体を該無線遠隔操作機能が有効な状態にて包装すること。
（効果：梱包状態を開けなくてもそのまま製品を外部から遠隔操作できる。）
４．該製品本体は撮影機能を有し、
該ベース部材は、該製品本体の撮影画角を遮らない様に下ケース側へ退避した退避部（４ｃ）を有し、
該上ケースは、該退避部に応じて下ケース側へ延びた延長部（７ｂ）を有すること。
（効果：カメラが被梱包物の場合、梱包材で撮影画角が遮られることなく撮影できる。）
５．該製品本体は撮影機能を有し、
該上ケースは、該製品本体の撮影を補助する光学要素（７ｃ）を有すること、
（効果：この梱包装置で梱包することで、カメラ単体では得られないより高度な撮影が行える。）
６．該光学要素とはアナモフィックレンズであり、
該製品本体は該アナモフィックレンズを透過して縦横比率が補正された画像を撮影するとともに、該縦横比率を変更された画像を逆補正して元の比率に戻す機能を有すること、
（効果：さらにより高度な撮影が行える。）
７．該製品本体は画像表示機能を有し、
該上ケースは、該製品本体の画像表示部を遮らない様に透明部材を配置すること、
（効果：製品が表示した画像を良好に観察できる。）
８．該ベース部材の表側に収納した該製品本体を覆うための透明なインナーカバー（５）を有すること、
（効果：製品を固定して輸送時の外部からの衝撃や振動から保護することができる。）
９．該インナーカバーに開口部（５ｃ）を設けて該製品本体の撮影光路が素通しになる様にしたこと、
を特徴とする、請求項８に記載の包装装置。
（効果：カメラにインナーカバーを被せたままでも、撮影画像を損なう事なく良好に撮影できる。）
１０．該インナーカバーを覆うクリアプレート（６）を有すること、
（効果：インナーカバーを固定して、さらに製品を輸送時の外部からの衝撃や振動から保護することができる。）
１１．該下ケースに、該充電器へ外部電力を供給するためのケーブルを通す穴部（３ａ）を有すること、
（効果：包装装置の外部から継続的に電力を供給でき、長期間連続して製品を使用し続けることができる。）
【発明の効果】
【０００７】
本発明によれば、透明包装箱に包装された製品の稼働に必要な電源供給機能を持たせることができ、包装状態のまま製品を稼働してよりリアルな製品機能を訴求したり、製品購入後の実用時においても、簡易的なシェルターとして包装箱を活用できる。さらには、この包装箱を使用して撮影することで、より付加価値の高い撮影が可能になる。
【図面の簡単な説明】
【０００８】
【図１】本発明による包装箱１の外観図
【図２】本発明による包装箱１および被梱包物の輸送状態の分解図
【図３】本発明による包装箱１の使用状態の外観図
【図４】ベース部材４への非接触充電器１１およびレンズフード１４の取付状態を示す図
【発明を実施するための形態】
【０００９】
以下に、本発明の好ましい実施の形態を、添付の図面に基づいて詳細に説明する。
【００１０】
［実施例１］
以下、本発明の第１の実施例による、包装装置について説明する。図１に本実施例おける包装装置の外観、図２にその分解斜視図を示す。なお本実施例では、被梱包物の一例としてデジタルカメラおよび同梱される付属品を挙げ、これを出荷する時の輸送用に用いるとともに、店頭でのディスプレイを目的に透明カバーを用いて内部に収納されたデジタルカメラ２を視認できるようにしたものとする。
【００１１】
図２において、２はデジタルカメラで、正面に撮影レンズ２ａ、上面に画像表示用のＬＣＤパネル２ｂ、底面に非接触充電のための受電コイル２ｃ（不図示）を配置するとともに、ＷｉＦｉの無線遠隔操作によって撮影や画像表示を行なう機能を有している。３は付属品を納めるための下ケースで、収納箱１の非透明部分を構成しており、ここにプレート状の非接触充電器１１、非接触充電器１１に電力を供給するためのＤＣアダプター１２、ＤＣアダプター１２にＡＣ電源を供給するためのＡＣケーブル１３、およびレンズフード１４が納められる。
【００１２】
よって外観から表示不要な付属品１１〜１４はこの下ケースに収納して隠すことができる。なお非接触充電器１１は輸送時の振動や衝撃による傷つきを防止するために、不図示のエアーパッキンの袋に入れて収納してもよい。また３ａは穴部で、ここからＡＣケーブル１３を通すことができ、外部から継続的に電力を供給して長期間連続して製品を使用し続けることができる。なお穴部３ａは物流段階では開放されていない方が好ましいので、別途シール等でふさいだり開閉機構を設ける等しておくとよい。
【００１３】
次に、４はベース部材で、付属品を収納したケース３の蓋と、デジタルカメラ２の置き台を兼ねており、これをケース３に設けられた段差部３ｂにはめ込んで蓋をしてから、表面に設けた収納部４ａへデジタルカメラ２を置く。なおベース部材４の裏面には非接触充電器１１を取付ける取付部４ｂがあり、収納部４ａに置いたデジタルカメラ２の受電コイル２ｃが最適な状態で非接触充電器１１から電力を受給できる様に設定してある。また４ｃは退避部で、撮影レンズ２ａから遠ざかるにつれ傾斜しており、これによって収納部４ａへ置かれたデジタルカメラ２の撮影レンズ２ａの撮影画角範囲内にベース部材４が写り込むのを防ぐことができる。４ｄはレンズフード１４をはめ込むための固定穴である。
【００１４】
次に、５はインナーカバーで、透明なプラスチックシートを真空成形して形成され、輸送時にカメラ２をベース部材４に固定するものである。インナーカバー５にはカメラ２を覆う凹部５ａとフランジ部５ｂがあり、ベース部材４上に置かれたデジタルカメラ２にインナーカバー５をかぶせる。これによってデジタルカメラ２を外部からの衝撃や振動から保護することができる。なお、インナーカバー５はレンズ２ａの正面に当たる部分に開口部５ｃを設けて、撮影レンズ２ａの撮影光路が素通しになる様にしてもよい。これによりデジタルカメラ２にインナーカバー５を被せたままでも、撮影画像を損なう事なく良好に撮影できる。
【００１５】
次に、６はクリアプレートで、ベース部材４とともに下ケース３に設けられた段差部３ｂにはめこまれる。するとインナーカバー５のフランジ部５ｂを堅い板状のクリアプレート６で押さえられるので、より強くデジタルカメラ２がセンタープレート４から浮き上がらないように固定できる。
【００１６】
また、７は上ケースで、デジタルカメラ２を外部からの衝撃から保護するためのカバーであり、内部に収納されたデジタルカメラ２が収納状態で視認でき、またＷｉＦｉ通信等の無線遠隔操作信号が良好に授受できる様、透明なアクリル材で作られている。このため梱包状態のままでデジタルカメラ２を外部から遠隔操作できる。またデジタルカメラ２の上面に設けられたＬＣＤパネル２ｂを覆っているので、ここに表示された画像を遮ることなく良好に観察することができる。上ケース７の底部には下ケース３の段差部にはめ込んで固定するための勘合部７ａがあり、上ケース７を下ケース３にはめ込んだ際に、勘合部７ａの先端がクリアプレート６を押さえるように構成されている。
【００１７】
そして７ｂは延長部で、ベース部材４に設けた退避部４ｃによってすきまが生じない様にベース部材４の外形をそのまま下方向へ延長したものである。また７ｃは光学要素で、例えば偏光フィルターや各種色フィルター、あるいは光学レンズなど、様々な形態を設定して良いし、それらを別途着脱式に交換できる機構にしてもよい。これにより、光学要素４を利用して、デジタルカメラ２単体では得られないより高度な撮影が行える。例えば、アナモフィックレンズを設けて縦横比率が補正された画像をデジタルカメラ２で撮影できる様にすれば、よりワイドな画角を撮影できる。この場合、デジタルカメラ２に縦横比率を変更された画像を逆補正して元の比率に戻す機能を有すると、オリジナルの画像が再現できるので更によい。
【００１８】
本発明の実施例による包装装置は、以上の様に構成されている。つまり、付属品１１〜１４を下ケース３に収納してからベース部材４にデジタルカメラ２を載せて上ケース７をはめれば、あとは不図示のテープで上ケース７と下ケース３を封緘することでデジタルカメラ２をベース部材４に固定できる。この状態で物流すれば、輸送時の外部からの衝撃や振動からデジタルカメラ２を保護することができる。また収納箱１を上下カバーに二分割したので、コストのかかる透明部材を上ケース７だけに限定でき、上記の様に下から上へ積み上げる様に順次梱包していくので梱包作業もやりやすい。
【００１９】
次に、図３及び図４を用いて店頭ディスプレイ時あるいはユーザーが自宅等で使用する状態を示す。図３はトップカバーを外した状態であり、図４はベース部材４にカメラ２、非接触充電器１１、およびレンズフード１４を取り付けた状態を示す。
【００２０】
図に示すように、自宅等で使用する場合は、ベース部材４にかめら２を置いた状態でレンズフード１４をベース部材4に取り付ける。また非接触充電器１１はベース部材４の
裏面の非接触充電器取付部４ｂにはめ、ＤＣアダプター１２の不図示のプラグを非接触充電器１１に設けられた電源ジャックに差し込む。そして、図３に示すように下ケース３にＤＣアダプター１２を収納したうえで、上記のベース部材４で蓋をし、上ケース７をはめると光学要素７ｃを通して撮影することができる。もちろん、上ケース７をはめずに、そのまま撮影してもよい。ＤＣアダプター１２にＡＣ電源を供給するためのＡＣケーブル１３は下ケース３に設けられた穴部３ａより下ケース外部に出す。
【符号の説明】
【００２１】
１  包装箱、２  デジタルカメラ、２ａ  レンズ、２ｂ  ＬＣＤパネル、
２ｃ  受電コイル（不図示）、３  下ケース、３ａ  穴部、３ｂ  段差部、
４  ベース部材、４ａ  収納部、４ｂ  取付部、４ｃ  退避部、
５  インナーカバー、５ａ  凹部、５ｂ  フランジ部、５ｃ  開口部、
６  クリアプレート、７  上ケース、７ａ  勘合部、７ｂ  延長部、７ｃ  光学要素、
１１  非接触充電器、１２  ＤＣアダプター、１３  ＡＣケーブル、１４  レンズフード
【図１】
2016047733.tif 000003
【図２】
2016047733.tif 000004
【図３】
2016047733.tif 000005
【図４】
2016047733.tif 000006